(57)【要約】【課題】複数のＩＣカードが同時に共通のカードスロットに挿入される事態を回避できること。【解決手段】カードスロットの一部を形成するベース部材１２の開口端部の底壁に、リブ１２Ｒが形成されるもの。【選択図】図１
2007179843.tif 000002
【特許請求の範囲】
【請求項１】
形状が互いに異なる第１および第２のＩＣカードのうちの１つのＩＣカードが選択的に通過可能なカードスロットを有するとともに、少なくとも該第１および第２のＩＣカードの電極部と電気的に接続する複数のコンタクト端子群を有し、該第１または第２のＩＣカードを収容するＩＣカード収容部と、
前記ＩＣカードの前記ＩＣカード収容部に対する着脱方向に対し直交する方向に、前記カードスロットの一部を形成するように延在する突起部と、を備え、
前記第１および第２のＩＣカードのうちの１つのＩＣカードが前記ＩＣカード収容部に収容される場合、前記カードスロットを形成するＩＣカード収容部の内周面と前記突起部を超えて通過した前記第１のＩＣカードまたは第２のＩＣカードの厚さ方向の表面との間の隙間が、前記第１のＩＣカードまたは第２のＩＣカードの厚さよりも小となることを特徴とするＩＣカード用コネクタ。
【請求項２】
前記第１および第２のＩＣカードのうちの１つのＩＣカードが前記ＩＣカード収容部に収容される場合、前記突起部と該第１または第２のＩＣカードの表面とが当接、または、該第１または第２のＩＣカードの厚さよりも小なる所定の隙間をもって対向することを特徴とする請求項１記載のＩＣカード用コネクタ。
【発明の詳細な説明】
【技術分野】
【０００１】
本発明は、大きさの異なる二種類のＩＣカードのうちの一方を選択的に装着することができるＩＣカード用コネクタに関する。
【背景技術】
【０００２】
互いに形状の異なる複数のＩＣカードのうちのいずれか一枚のＩＣカードを一つの電子機器内に選択的に装着するためにＩＣカード用コネクタにおいては、例えば、特許文献１にも示されるように、各ＩＣカードが着脱される共通のカードスロットを有する複合型のカード収容部を共通の平面上に並設したもの、あるいは、複数のカード収容部を鉛直方向に一部重複するように積み重ねた状態で備えるものが提案されている。
【０００３】
そのようなＩＣカード用コネクタは、例えば、第１および第２のＩＣカードのうち大きさの小さい方の第１のＩＣカードが収容される第１のカード用収容部がカードスロットに近い位置に形成される場合、第２のカード用収容部が、第１のカード用収容部よりもカードスロットから離隔した位置に形成されている。
【０００４】
【特許文献１】特開２００４−３１１４１６号公報
【発明の開示】
【発明が解決しようとする課題】
【０００５】
上述のようなＩＣカード用コネクタにおいて、例えば、共通のカードスロットに第２のＩＣカードが挿入された場合、カードスロットの周縁と対向する第２のＩＣカードの外周面との間に、上述の第１のカード、もしくは、第１のカードよりもさらに薄いＩＣカードが挿入し得る隙間が形成される場合がある。
【０００６】
例えば、ＩＣカード用コネクタのカードスロットが、プリンタ等の電子機器の筐体に設けられるスリットに対向するようにＩＣカード用コネクタが電子機器内に配置される場合、ＩＣカードコネクタのカードスロットから突出したＩＣカードの端部が見えずらいために、上述のような隙間が形成されるとき、使用者が誤って第１のＩＣカード等をさらにその隙間に挿入することによって、ＩＣカード用コネクタが故障する虞がある。
【０００７】
以上の問題点を考慮し、大きさの異なる二種類のＩＣカードうちの一方を選択的に装着することができるＩＣカード用コネクタであって、複数のＩＣカードが同時に共通のカードスロットに挿入される事態を回避できるＩＣカード用コネクタを提供することを目的とする。
【課題を解決するための手段】
【０００８】
上述の目的を達成するために、本発明に係るＩＣカード用コネクタは、形状が互いに異なる第１および第２のＩＣカードのうちの１つのＩＣカードが選択的に通過可能なカードスロットを有するとともに、少なくとも第１および第２のＩＣカードの電極部と電気的に接続する複数のコンタクト端子群を有し、第１または第２のＩＣカードを収容するＩＣカード収容部と、ＩＣカードのＩＣカード収容部に対する着脱方向に対し直交する方向に、カードスロットの一部を形成するように延在する突起部と、を備え、第１および第２のＩＣカードのうちの１つのＩＣカードがＩＣカード収容部に収容される場合、カードスロットを形成するＩＣカード収容部の内周面と突起部を超えて通過した第１のＩＣカードまたは第２のＩＣカードの厚さ方向の表面との間の隙間が、第１のＩＣカードまたは第２のＩＣカードの厚さよりも小となることを特徴とする。
【発明の効果】
【０００９】
以上の説明から明らかなように、本発明に係るＩＣカード用コネクタによれば、第１および第２のＩＣカードのうちの１つのＩＣカードがＩＣカード収容部に収容される場合、カードスロットを形成するＩＣカード収容部の内周面と突起部を超えて通過した第１のＩＣカードまたは第２のＩＣカードの厚さ方向の表面との間の隙間が、第１のＩＣカードまたは第２のＩＣカードの厚さよりも小となるので複数のＩＣカードが同時に共通のカードスロットに挿入される事態を回避できる。
【発明を実施するための最良の形態】
【００１０】
図１は、本発明に係るＩＣカード用コネクタの第１実施例の外観を示す。
【００１１】
斯かるＩＣカード用コネクタは、所定の電子機器、例えば、携帯電話機、ＰＤＡ、カメラ等の内部に配されるものとされる。
【００１２】
図１に示されるＩＣカード用コネクタは、例えば、そのカード収容部に図１に示される矢印の示す方向に沿って着脱可能に収容されるＩＣカードとしてのメモリカード、例えば、ＭＭＣカード（multi media card）（商標）ＭＣ、または、ｍｉｎｉＳＤカード（商標）ＭＳＣのうちのいずれかの電極部と所定の電子機器の内部に配される信号入出力用等の基板の接続端子部とを電気的に接続するものとされる。
【００１３】
ＭＭＣカードＭＣは、例えば、厚さ約１．４ｍｍ、縦横の寸法がそれぞれ約３２ｍｍ、約２４ｍｍに設定されている。また、ｍｉｎｉＳＤカードＭＳＣは、例えば、厚さ約１．４ｍｍ、縦横の寸法がそれぞれ約２１．５ｍｍ、約２０ｍｍに設定されている。
【００１４】
ＩＣカード用コネクタは、収容されるＭＭＣカードＭＣまたはｍｉｎｉＳＤカードＭＳＣに対する電気的接続を行う複数のコンタクト端子等が配列されるベース部材１２と、ベース部材１２と協働して各カードの複合の収容部を形成するカバー部材１０とを含んで構成されている。
【００１５】
門形状断面形状を有するカバー部材１０は、薄板の金属材料で形成されている。カバー部材１０の一方の側面部には、図１および図４に示されるように、後述するベース部材１２の爪部がそれぞれ、係合される係合孔１０ｅ，１０ｆ，１０ｇおよび１０ｈがその爪部に対応して形成されている。カバー部材１０の他方の側面部には、後述するベース部材１２の爪部がそれぞれ、係合される複数の係合孔（不図示）が形成されている。
【００１６】
従って、カバー部材１０は、その各係合孔１０ｅ〜１０ｈ等と、ベース部材１２の各爪部とがそれぞれ係合されることにより、ベース部材１２に対し固定されることとなる。
【００１７】
また、図２に示されるように、カバー部材１０の両側面部を連結する上面部における中央部には、開口部１０ａが形成されている。開口部１０ａの周縁には、後述する誤挿入防止用可動板を下方に向けて付勢する板状の弾性片１０Ｄの一端が連結されている。弾性片１０Ｄの他端は、開口部１０ａ内に突出している。また、開口部１０ａに隣接して複数の開口部１０ｂおよび１０ｃが所定の間隔をもって形成されている。
【００１８】
その上面部における一方の側面部側には、イジェクト機構（不図示）におけるカムレバーを移動可能に支持する押さえバネ１０Ｅが設けられている。弾性を有する押さえバネ１０Ｅの基端部は、カバー部材１０に一体に形成されている。押さえバネ１０Ｅは、例えば、カバー部材１０の一部がプレス加工によりその内側に向けて打ち抜かれて形成されている。従って、カバー部材１０における押さえバネ１０Ｅに対応する部分の周囲には、開口が形成されている。
【００１９】
ベース部材１２におけるカード収容部２５は、図６および図８に示されるように、上方、および後述するコンタクト端子固定部側とは反対側の端部が、開口している。カード収容部２５は、その上方側部分に、ＭＭＣカードＭＣが収容され、その下方側部分にその一部重複してｍｉｎｉＳＤカードＭＳＣが収容されるような複合的なカード収容部とされる。
【００２０】
その開口端部は、図３に示されるように、挿入されるＭＭＣカードＭＣおよびｍｉｎｉＳＤカードＭＳＣの形状に対応した横断面を有している。図３において、その開口端部は、略長方形横断面を有しｍｉｎｉＳＤカードＭＳＣが通過する第１の案内部１２Ｓａと、大小の略長方形を重ねて一体としたような横断面を有しＭＭＣカードＭＣが通過する第２の案内部１２Ｓｂとにより形成されている。
【００２１】
第２の案内部１２Ｓｂの横幅は、挿入されるＭＭＣカードＭＣの両側部に対し所定の隙間を形成するようにその下方に形成される第１の案内部１２Ｓａの横幅よりも大に設定されている。また、第１の案内部１２Ｓａの横幅は、挿入されるｍｉｎｉＳＤカードＭＳＣの両側部に対し所定の隙間を形成するように設定されている。これにより、ＭＭＣカードＭＣおよびｍｉｎｉＳＤカードＭＳＣの進行方向側の端部は、それぞれ、上方側に、または、下方側に向けて第２の案内部１２Ｓｂおよび第１の案内部１２Ｓａに案内されて通過することとなる。また、上述のカバー部材１０によりベース部材１２が覆われることにより、カード収容部２５の一方の端部にＭＭＣカードＭＣおよびｍｉｎｉＳＤカードＭＳＣのうちの一方が選択的に通過される共通のカードスロットが形成されることとなる。
【００２２】
そのカードスロットを形成する第１の案内部１２Ｓａの側壁相互間には、両側の側壁を互いに連結するリブ１２Ｒが、ＭＭＣカードＭＣおよびｍｉｎｉＳＤカードＭＳＣの着脱方向に対し直交する方向に沿って形成されている。カード二重挿入防止用の突起部としてのリブ１２Ｒは、図６に示されるように、その頂部が第１の案内部１２Ｓａの側壁の段部と共通の平面上にあるように形成されている。また、リブ１２Ｒは、カードスロットの周縁における底壁の内面から所定の高さだけカバー部材１０に向けて突出している。リブ１２Ｒの高さは、図６および図７に示されるように、上述のＭＭＣカードＭＣおよびｍｉｎｉＳＤカードＭＳＣのうちのいずれか一枚がカード収容部２５内に装着される場合、例えば、ＭＭＣカードＭＣが装着されるとき、ＭＭＣカードＭＣの表面と対向するリブ１２Ｒの頂部との隙間ＣＬ１が、ｍｉｎｉＳＤカードＳＭおよび他のいかなるＩＣカードも挿入不可能とされる寸法となるように、設定されている。一方、ｍｉｎｉＳＤカードＭＳＣが装着されるとき、ｍｉｎｉＳＤカードＭＳＣの表面と対向するカバー部材１０の内周面との隙間ＣＬ２が、ＭＭＣカードＭＣおよび他のいかなるＩＣカードも挿入不可能とされる寸法となる。その際、ｍｉｎｉＳＤカードＭＳＣの一端は、リブ１２Ｒを乗り越え外部に突出している。
【００２３】
従って、リブ１２Ｒがベース部材１２におけるカードスロットの周縁に形成されることにより、共通のカードスロットを通じて二枚のＩＣカードが同時に挿入されることが確実に回避されることとなる。
【００２４】
なお、上述のリブ１２Ｒは、第１の案内部１２Ｓａの双方の側壁を連結するように形成されていることが好ましいが、必ずしもこのようになされる必要がなく、例えば、図３に示されるように、リブ１２’Ｒが第１の案内部１２Ｓａ近傍の領域ＲＡにだけそれぞれ形成され、中間部分に形成されていない構成であってもよい。但し、所定のＩＣカードの二重の誤挿入を回避するためにそのリブが形成されていない中間部分の長さは、そのＩＣカードの横幅よりも小さく設定されなければならない。
【００２５】
ベース部材１２は、例えば、成形樹脂材料で一体に成形されている。ベース部材１２は、ＭＭＣカードＭＣおよびｍｉｎｉＳＤカードＭＳＣが着脱可能に収容されるカード収容部２５の両側部をそれぞれ形成する側壁と、ｍｉｎｉＳＤカードＭＳＣ用のコンタクト端子１６ａｉ（ｉ＝１〜１１）、ＭＭＣカードＭＣ用のコンタクト端子１８ａｉ（ｉ＝１〜１３）が配されるコンタクト端子固定壁部とを含んで構成されている。
【００２６】
一方の側壁の外面には、図４に示されるように、それぞれ、爪部１２ｎｅ、１２ｎｆ、１２ｎｇ、および１２ｎｈが形成されている。他方の側壁の外面にも、図示が省略されるが、同様な爪部が複数箇所に形成されている。
【００２７】
例えば、複数のコンタクト端子１８ａｉは、所定の相互間隔で側壁に対して略平行に、カード収容部２５におけるコンタクト端子固定壁部に近い部分に配列されている。また、複数のコンタクト端子１６ａｉは、所定の相互間隔で側壁に対して略平行に、カード収容部２５におけるカードスロットに近い位置に配列されている。
【００２８】
コンタクト端子１８ａｉは、弾性を有しＭＭＣカードＭＣのコンタクトパッドに当接し電気的に接続される接点部と、配線基板（不図示）の電極部に半田付け固定され電気的に接続される半田付端子部と、その接点部と半田付端子部とを相互に連結し、ベース部材１２に固定される固定部とを含んで構成されている。コンタクト端子１８ａｉは、薄板金属材料、例えば、バネ用燐青銅で作られる。コンタクト端子１８ａｉの固定部は、図示が省略されるが、コンタクト端子固定壁部に形成される溝に、コンタクト端子固定壁部に形成される透孔を通じてＭＭＣカードＭＣの挿入方向とは反対方向の側から圧入されることにより、ベース部材１２に固定されている。
【００２９】
コンタクト端子１６ａｉは、弾性を有しｍｉｎｉＳＤカードＭＳＣのコンタクトパッドに当接し電気的に接続される接点部と、上述の配線基板の電極部に半田付け固定され電気的に接続される半田付端子部と、その接点部と半田付端子部とを相互に連結し、ベース部材１２に固定される固定部とを含んで構成されている。コンタクト端子１６ａｉは、薄板金属材料、例えば、バネ用燐青銅で作られる。コンタクト端子１６ａｉの固定部は、カード収容部２５の底部に形成される溝に、ｍｉｎｉＳＤカードＭＳＣの挿入方向側から圧入されることにより、ベース部材１２に固定されている。
【００３０】
また、コンタクト端子１８ａｉおよび１６ａｉの半田付端子部は、それぞれ、コンタクト端子固定壁部の孔を通じて外部に向けて突出している。
【００３１】
コンタクト端子固定壁部の上端の略中央部には、カバー部材１０の折曲部が挿入され係合される溝（不図示）が所定の幅で形成されている。カバー部材１０の折曲部のスリット１０Ｆには、後述する誤挿入防止用可動板１４のガイド部１４Ｇが移動可能に挿入され突出している。
【００３２】
側壁の内側部分には、ＭＭＣカードＭＣをカード収容部２５に保持するとともに、カード収容部２５からＭＭＣカードＭＣを選択的に排出するイジェクト機構（不図示）が設けられている。
【００３３】
イジェクト機構は、ベース部材１２に対し移動可能に支持され、ＭＭＣカードＭＣを選択的に保持するイジェクタ部材と、ベース部材１２のコンタクト端子固定壁部に隣接する壁およびイジェクタ部材相互間に介装され、イジェクタ部材をＭＭＣカードＭＣの排出方向に付勢するコイルスプリングと、ＭＭＣカードＭＣの着脱操作に応じてイジェクタ部材を選択的にベース部材１２に対し保持または解放する制御を行うイジェクト部材制御部と、を含んで構成されている。
【００３４】
このイジェクト機構は、ｍｉｎｉＳＤカードＭＳＣの着脱においても利用可能とするために上述のイジェクタ部材が、ｍｉｎｉＳＤカードＭＳＣを保持する部分を有している。
【００３５】
イジェクト部材制御部は、特開２００４−３１１４１６号公報にも示されるようなイジェクタ部材における側壁側に形成された略ハート形状のカム要素（ハートカム）と、ハートカムの周囲に形成された複数の段差部からなるレバー案内溝と、一方の端部が側壁の孔に連結され、他方の端部がレバー案内溝に沿って摺動せしめられる門形状のカムレバーと、上述のカバー部材１０の押えバネ１０Ｅ（図２参照）とを含んで構成されている。
【００３６】
押えバネ１０Ｅは、カムレバーの屈曲された先端をレバー案内溝の案内面に対し摺接するように付勢するものとされる。これにより、カムレバーの一端部が、イジェクト部材の動作に追従してレバー案内溝を構成する各案内溝を順次、経由して案内され、ハートカムに形成されるカム面に一旦、保持されることによって、ＭＭＣカードＭＣを伴うイジェクタ部材がカード収容部２５内に保持されることとなる。そして、ＭＭＣカードＭＣのさらなる押し込み操作により、そのカムレバーの一端部が、カム面から離隔されるとき、ＭＭＣカードＭＣを伴うイジェクタ部材がコイルスプリングの付勢力によりカード排出方向に移動せしめられる。
【００３７】
さらに、カード収容部２５におけるカバー部材１０と上述のコンタクト端子１８ａｉおよび１６ａｉとの間には、カード誤挿入防止機構が設けられている。
【００３８】
カード誤挿入防止機構は、本出願の発明者が既に提案しているカード誤挿入防止機構、例えば、特開２００４−３１１４１６号公報にも開示されているものと類似した構成を有しており、カバー部材１０の真下に固定され、複数のロック部材を有するロック部材支持体（不図示）と、ロック部材支持体の両側面部の内側にそれぞれカードの着脱方向に沿って移動可能に配され、一端がカード誤挿入防止用可動板１４に連結される一対の可動板駆動部材と、ｍｉｎｉＳＤカードＭＳＣの上方の部屋への侵入を阻止するカード誤挿入防止用可動板１４と、可動板駆動部材を初期位置に戻すように付勢するリターンスプリングと、を主な要素として含んで構成されている。
【００３９】
斯かる構成において、可動板駆動部材がＭＭＣカードＭＣの端部によりリターンスプリングの付勢力に抗して押圧され移動せしめられる場合、カード誤挿入防止用可動板１４がカード挿入方向に沿って移動せしめられることとなる。また、ＭＭＣカードＭＣが排出される場合、可動板駆動部材がカード誤挿入防止用可動板１４とともにリターンスプリングの付勢力により初期の位置に戻されることとなる。
【００４０】
カード誤挿入防止用可動板１４は、ロック部材支持体の真下の位置に移動可能に配されている。
【００４１】
略Ｔ字状のカード誤挿入防止用可動板１４は、可動板駆動部材がロック状態のとき、ｍｉｎｉＳＤカードＭＳＣの進行を下方に向けて導くカード誘導部１４Ｄと（図８参照）、カード誘導部１４Ｄの端に略垂直に交わるように連結されカード誤挿入防止用可動板１４を案内する案内部１４Ｇとを含んで構成されている。
【００４２】
カード誘導部１４Ｄの両側面部には、図示が省略されるロック部材支持体の各案内溝にそれぞれ係合される突起片が所定の間隔で形成されている。また、カード誘導部１４Ｄの長手方向の一方の端部には、各突起片に隣接して突起片が略平行に一対形成されている。
【００４３】
平板状の案内部１４Ｇは、カード誘導部１４Ｄの略中央部から長手方向に沿って一方側に偏倚した位置に連結されている。案内部１４Ｇは、その中央部に長孔を有している。案内部１４Ｇの一端は、カバー部材１０の矩形状のスリット１０Ｆに移動可能に挿入されている。これにより、カード誤挿入防止用可動板１４は、スリット１０Ｆに案内されながら移動せしめられるので移動中、不所望に傾いた状態となる虞がない。
【００４４】
斯かる構成において、図５および図６に示されるように、ＭＭＣカードＭＣがカード収容部２５に装着される場合、カードスロットを通過するＭＭＣカードＭＣの先端部により、ロック部材の係止片が押圧され、各可動板駆動部材がアンロック状態とされるとき、各可動板駆動部材がカード収容部２５内に向かってリターンスプリングの付勢力に抗して移動せしめられる。これにより、可動板駆動部材の長孔に連結される突起片を有するカード誤挿入防止用可動板１４は、その突起片が案内溝に係合され、また、突起片が長孔を介して案内溝に係合され摺動された後上昇せしめられることにより、カード誤挿入防止用可動板１４は、カバー部材１０の内面に当接し、また、ＭＭＣカードＭＣがカード誤挿入防止用可動板１４の真下を通過しつつ上述のイジェクト部材により所定位置に保持されることとなる。
【００４５】
一方、ＭＭＣカードＭＣがカード収容部２５から取り出される場合、ＭＭＣカードＭＣがさらに若干押し込まれることにより、イジェクト機構のコイルスプリングの付勢力により、イジェクト部材とともにＭＭＣカードＭＣが排出方向に移動せしめられるとともに、カード誤挿入防止用可動板１４が下降し始め、リターンスプリングの付勢力により初期位置に戻される。
【００４６】
ｍｉｎｉＳＤカードＭＳＣがカード収容部２５の正規の位置に装着される場合、図７および図８に示されるように、各可動板駆動部材がロック状態とされるので挿入されたｍｉｎｉＳＤカードＭＳＣの先端が、カード誤挿入防止用可動板１４の誘導部１４Ｄの端部でその真下に向けて規制され、正規の下方の部位の導入されることとなる。
【００４７】
一方、ｍｉｎｉＳＤカードＭＳＣがカード収容部２５における上部側に誤って挿入され、ロック部材の係止部が押圧され、複数の可動板駆動部材のうちの一方だけがアンロック状態とされる。この場合、ｍｉｎｉＳＤカードＭＳＣがカード誤挿入防止用可動板１４を押圧するように強引にさらに押し込まれたときであっても、カード誤挿入防止用可動板１４は、その幅方向の姿勢がその案内部１４Ｇの端部により規制されているのでその幅方向に傾くことがなく、従って、カード誤挿入防止用可動板１４の側面部が対向するロック部材支持体２２の側面部に干渉し故障の原因となる虞がない。
【００４８】
なお、上述の例においては、ＭＭＣカードとｍｉｎｉＳＤカードとが選択的に装着されるが、斯かる例に限られることなく、例えば、ＳＤカードとｍｉｎｉＳＤカードとが選択的に装着されるものでもよい。
【００４９】
図９は、本発明に係るＩＣカード用コネクタの第２実施例の外観を示す。
【００５０】
図９に示されるＩＣカード用コネクタにおいては、例えば、そのカード収容部に図９に示される矢印の示す方向に沿って着脱可能に収容されるＩＣカードとしてのメモリカード、例えば、メモリスティック（商標）ＳＣ、または、メモリスティック（商標）ＳＣよりも小なる大きさのメモリスティックデュオ（商標）ＳＤＣのうちのいずれかのカードの電極部と所定の電子機器の内部に配される信号入出力用等の基板の接続端子部とを電気的に接続するものとされる。
【００５１】
ＩＣカード用コネクタは、収容されるメモリスティックＳＣまたはメモリスティックデュオＳＤＣに対する電気的接続を行う複数のコンタクト端子等が配列されるベース部材３２と、ベース部材３２と協働して各カードの複合の収容部を形成するカバー部材３０とを含んで構成されている。
【００５２】
門形状断面形状を有するカバー部材３０は、薄板の金属材料で形成されている。カバー部材３０の一方の側面部には、図１０に示されるように、後述するベース部材３２の爪部がそれぞれ、係合される係合孔３０ｄ、３０ｅ，３０ｆ，３０ｇおよび３０ｈがその爪部に対応して形成されている。カバー部材３０の他方の側面部には、後述するベース部材３２の爪部がそれぞれ、係合される複数の係合孔（不図示）が形成されている。
【００５３】
従って、カバー部材３０は、その各係合孔３０ｄ〜３０ｈ等と、ベース部材３２の各爪部とがそれぞれ係合されることにより、ベース部材３２に対し固定されることとなる。
【００５４】
カバー部材３０の上面部における一方の側面部側には、イジェクト機構（不図示）におけるカムレバーを移動可能に支持する押さえバネ３０Ｅが設けられている。弾性を有する押さえバネ３０Ｅの基端部は、カバー部材３０に一体に形成されている。押さえバネ３０Ｅは、例えば、カバー部材３０の一部がプレス加工によりその内側に向けて打ち抜かれて形成されている。従って、カバー部材３０における押さえバネ３０Ｅに対応する部分の周囲には、開口が形成されている。
【００５５】
ベース部材３２におけるカード収容部３８は、上方、および後述するコンタクト端子固定部側とは反対側の端部が、開口している。カード収容部３８は、その上方側部分に、メモリスティックＳＣが収容され、その下方側部分にその一部を重複してメモリスティックデュオＳＤＣが収容されるような複合的なカード収容部とされる。
【００５６】
その開口端部は、挿入されるメモリスティックＳＣおよびメモリスティックデュオＳＤＣの形状に対応した横断面を有している。従って、上述のカバー部材３０によりベース部材３２が覆われることにより、カード収容部３８の一方の端部にメモリスティックＳＣおよびメモリスティックデュオＳＤＣのうちの一方が選択的に通過される共通のカードスロットが形成されることとなる。カードスロットの一部を形成するカバー部材３０には、カードスロットを選択的に遮断するシャッター部材４０が回動可能に設けられている。防塵を目的とするシャッター部材４０の両側端部には、それぞれ、カードスロットを遮断する方向にシャッター部材４０を付勢するねじりコイルバネ（不図示）が設けられている。
【００５７】
そのカードスロットを形成する両側壁の相互間には、側壁の下部を互いに連結するリブ３２Ｒが、メモリスティックＳＣおよびメモリスティックデュオＳＤＣの着脱方向に対し直交する方向に沿って形成されている。カード二重挿入防止用のリブ３２Ｒは、図１３に示されるように、ベース部材３２の開口端における底壁の内面から所定の高さだけカバー部材３０に向けて突出している。リブ３２Ｒの高さは、図１５に示されるように、メモリスティックＳＣおよびメモリスティックデュオＳＤＣのうちのいずれか一枚がカード収容部３８内に装着される場合、例えば、メモリスティックＳＣが装着されるとき、メモリスティックＳＣの裏面と対向するリブ３２Ｒの頂部とが接触し、かつ、メモリスティックＳＣの表面と最大角度まで回転したシャッター部材４０との間に所定の僅かな隙間が形成されるように設定されている。
【００５８】
一方、メモリスティックデュオＳＤＣが装着されるとき、カード収容部３８に他端が挿入されるメモリスティックデュオＳＤＣの一端がリブ３２Ｒを乗り越えて外部に突出した状態で、シャッター部材４０の最大回動可能範囲に相当する隙間ＣＬ３が、メモリスティックＳＣ、および他のいかなるＩＣカードも挿入不可能とされる寸法に設定されている。
【００５９】
従って、リブ３２Ｒがベース部材３２におけるカードスロット周縁に形成されることにより、共通のカードスロットを通じて二枚のＩＣカードが同時に挿入されることが確実に回避されることとなる。
【００６０】
ベース部材３２は、例えば、成形樹脂材料で一体に成形されている。ベース部材３２は、メモリスティックＳＣおよびメモリスティックデュオＳＤＣが着脱可能に収容されるカード収容部３８の両側部をそれぞれ形成する側壁と、メモリスティックデュオＳＤＣ用のコンタクト端子（不図示）、メモリスティックＳＣ用のコンタクト端子３６ａｉ（ｉ＝１〜ｎ、ｎは正の整数）が配されるコンタクト端子固定壁部とを含んで構成されている。
【００６１】
一方の側壁の外面には、図１０に示されるように、それぞれ、爪部３２ｎｄ，３２ｎｅ、３２ｎｆ、３２ｎｇ、および３２ｎｈが形成されている。他方の側壁の外面にも、図示が省略されるが、同様な爪部が複数箇所に形成されている。
【００６２】
例えば、複数のコンタクト端子３６ａｉは、所定の相互間隔で側壁に対して略平行に、カード収容部３８におけるコンタクト端子固定壁部に近い部分に配列されている。また、メモリスティックデュオＳＤＣ用の複数のコンタクト端子は、所定の相互間隔で側壁に対して略平行に、カード収容部３８におけるカードスロットに近い位置に配列されている。
【００６３】
コンタクト端子３６ａｉは、弾性を有しメモリスティックＳＣのコンタクトパッドに当接し電気的に接続される接点部と、配線基板（不図示）の電極部に半田付け固定され電気的に接続される半田付端子部と、その接点部と半田付端子部とを相互に連結し、ベース部材３２に固定される固定部とを含んで構成されている。メモリスティックデュオＳＤＣ用の複数のコンタクト端子も同様な構造を有している。
【００６４】
一方の側壁の内側部分には、メモリスティックＳＣをカード収容部３８に保持するとともに、カード収容部３８からメモリスティックＳＣを選択的に排出するイジェクト機構（不図示）が設けられている。
【００６５】
イジェクト機構は、ベース部材３２に対し移動可能に支持され、メモリスティックＳＣを選択的に保持するイジェクタ部材と、ベース部材３２のコンタクト端子固定壁部に隣接する壁およびイジェクタ部材相互間に介装され、イジェクタ部材をメモリスティックＳＣの排出方向に付勢するコイルスプリングと、メモリスティックＳＣの着脱操作に応じてイジェクタ部材を選択的にベース部材３２に対し保持または解放する制御を行うイジェクト部材制御部と、を含んで構成されている。
【００６６】
このイジェクト機構は、メモリスティックデュオＳＤＣの着脱においても利用可能とするためにイジェクタ部材はメモリスティックデュオＳＤＣを保持する部分を有している。
【００６７】
イジェクト部材制御部は、特開２００４−３１１４１６号公報にも示されるようなイジェクタ部材における側壁側に形成された略ハート形状のカム要素（ハートカム）と、ハートカムの周囲に形成された複数の段差部からなるレバー案内溝と、一方の端部が側壁の孔に連結され、他方の端部がレバー案内溝に沿って摺動せしめられる門形状のカムレバーと、上述のカバー部材３０の押えバネ３０Ｅ（図９参照）とを含んで構成されている。
【００６８】
押えバネ３０Ｅは、カムレバーの屈曲された先端をレバー案内溝の案内面に対し摺接するように付勢するものとされる。これにより、カムレバーの一端部が、イジェクト部材の動作に追従してレバー案内溝を構成する各案内溝を順次、経由して案内され、ハートカムに形成されるカム面に一旦、保持されることによって、メモリスティックＳＣを伴うイジェクタ部材がカード収容部３８内に保持されることとなる。そして、メモリスティックＳＣのさらなる押し込み操作により、そのカムレバーの一端部が、カム面から離隔されるとき、メモリスティックＳＣを伴うイジェクタ部材がコイルスプリングの付勢力によりカード排出方向に移動せしめられる。
【００６９】
斯かる構成において、図１３に示されるように、メモリスティックＳＣが装着される場合、メモリスティックＳＣにおける進行方向の端部によりシャッター部材４０が押圧されるとともに回転された後、メモリスティックＳＣがカード収容部３８に挿入されるとともにメモリスティックＳＣを保持する上述のイジェクタ部材がカード収容部３８内に保持されることとなる。
【００７０】
一方、メモリスティックＳＣが排出される場合、メモリスティックＳＣのさらなる押し込み操作によって、そのカムレバーの一端部が、カム面から離隔されるとき、メモリスティックＳＣを伴うイジェクタ部材がコイルスプリングの付勢力によりカード排出方向に移動せしめられ、その結果、メモリスティックＳＣが排出されることとなる。
【００７１】
そして、メモリスティックデュオＳＤＣにおける着脱動作においても、メモリスティックＳＣの着脱動作と同様な着脱動作とされる。
【図面の簡単な説明】
【００７２】
【図１】本発明に係るＩＣカード用コネクタの第１実施例の外観を示す斜視図である。
【図２】図１に示される例における平面図である。
【図３】図１に示される例における正面図である。
【図４】図１に示される例における側面図である。
【図５】図１に示される例における動作説明に供される平面図である。
【図６】図５におけるＶＩ−ＶＩ線に沿って示される断面図である。
【図７】図１に示される例における動作説明に供される平面図である。
【図８】図７におけるＶＩＩＩ−ＶＩＩＩ線に沿って示される断面図である。
【図９】本発明に係るＩＣカード用コネクタの第２実施例の外観を示す平面図である。
【図１０】図９に示される例における側面図である。
【図１１】図９に示される例における正面図である。
【図１２】図９に示される例における動作説明に供される平面図である。
【図１３】図１２におけるＸＩＩＩ−ＸＩＩＩ線に沿って示される断面図である。
【図１４】図９に示される例における動作説明に供される平面図である。
【図１５】図１４におけるＸＩＶ−ＸＩＶ線に沿って示される断面図である。
【符号の説明】
【００７３】
１０、３０    カバー部材
１２、３２    ベース部材
１２Ｒ，３２Ｒ    リブ
１４    誤挿入防止用可動板
１６ａｉ，１８ａｉ、３６ａｉ    コンタクト端子
２５、３８    カード収容部
【図１】
2007179843.tif 000003
【図２】
2007179843.tif 000004
【図３】
2007179843.tif 000005
【図４】
2007179843.tif 000006
【図５】
2007179843.tif 000007
【図６】
2007179843.tif 000008
【図７】
2007179843.tif 000009
【図８】
2007179843.tif 000010
【図９】
2007179843.tif 000011
【図１０】
2007179843.tif 000012
【図１１】
2007179843.tif 000013
【図１２】
2007179843.tif 000014
【図１３】
2007179843.tif 000015
【図１４】
2007179843.tif 000016
【図１５】
2007179843.tif 000017